(57)【特許請求の範囲】
【請求項１】
物品嵌合用の第１嵌合部７及び表示板嵌合用の第２嵌合部８を設けた合成樹脂製の基台３と、上記第２嵌合部８に下端を嵌着固定させて起立するとともに、上部に吊下部11を有する表示板４とを備え、上記第１嵌合部７に下端部を嵌合させて起立させた物品２を、上記基台３及び表示板４下部とともに熱収縮フィルム20により被覆固定してなることを特徴とする外装具。
【請求項２】
上記表示板４が、下部中央に切欠部12を設けてその両側に一対の脚部13を形成し、各脚部間に物品を起立させてなる請求項１記載の外装具。
【請求項３】
上記表示板４の上部縁部に一縁部をヒンジ14を介して開閉可能に連結した見開き頁15を設けてなる請求項１記載の外装具。
【発明の詳細な説明】
【０００１】
【発明の属する技術分野】
本発明は外装具に関する。
【０００２】
【従来の技術】
物品を販売等するに当たり、それらを包装した状態で陳列，展示する場合が多い。これら物品を包装する外装具は一般に物品のデザイン，形状にあわせてそれぞれ形成している場合が多く、商品の種類が多い場合などには対応する種類の外装具を用意しなければならず、その分コスト高となる。
【０００３】
【発明が解決しようとする課題】
本発明は上記した点に鑑みてなされたもので、収納する物品の形態に左右されることが少なく、種類の異なる物品の装着が可能であるため汎用性に富むとともに、構造が簡単であるため安価に製造でき、また、組み付け操作が容易であるとともに、吊り下げ展示のみならず、必要に応じて起立載置しての展示も併用できる外装具を提案するものである。
【０００４】
【課題を解決するための手段】
本請求項１発明の外装具は、上記課題を解決するため、物品嵌合用の第１嵌合部７及び表示板嵌合用の第２嵌合部８を設けた合成樹脂製の基台３と、上記第２嵌合部８に下端を嵌着固定させて起立するとともに、上部に吊下部11を有する表示板４とを備え、上記第１嵌合部７に下端部を嵌合させて起立させた物品２を、上記基台３及び表示板４下部とともに熱収縮フィルム20により被覆固定してなることを特徴とする外装具として構成した。
【０００５】
また、請求項２発明の外装具は、上記表示板４が、下部中央に切欠部12を設けてその両側に一対の脚部13を形成し、各脚部間に物品を起立させてなる請求項１記載の外装具として構成した。
【０００６】
また、請求項３発明の外装具は、上記表示板４の上部縁部に一縁部をヒンジ14を介して開閉可能に連結した見開き頁15を設けてなる請求項１記載の外装具として構成した。
【０００７】
【発明の実施の形態】
以下、本発明の実施の形態を図面を参照して説明する。
【０００８】
本発明の外装具１は、化粧品容器等の物品２を装着して陳列，展示するためのもので、基台３と、表示板４とを備えている。
【０００９】
装着の対象となる物品２は種々の形態のものが挙げられ、図示例では容器体５とキャップ６とで楕円筒状に形成した容器が示されているが、これら容器に限られず、玩具、文房具、雑貨、衣類、その他装着が可能な大きさであれば特に限定はない。
【００１０】
基台３は合成樹脂等により形成されたもので、上部に物品嵌合用の第１嵌合部７及び表示板嵌合用の第２嵌合部８を備えている。基台３は図示例の如く、中空のものであっても良く、或いは中実のものであっても良い。また、第１，第２の各嵌合部も、凹部の形態であっても、或いは貫通孔の形態であっても良く、種々の形態を採用できる。図１及び図２の実施例では、矩形筒状の周壁９上端縁より頂壁10を延設した下端開口の中空板状をなし、頂壁10中央部を横長楕円形状に下方へ凹ませて凹部形態の第１嵌合部７を設けており、また、その両側の頂壁10にそれぞれスリット形態の第２嵌合部８を穿設している。
【００１１】
表示板４は主として紙により形成すると良いがその他の材質例えば合成樹脂等により形成することも可能である。また、表示板４は物品２の支持、全体の吊り下げ、商品名等の表示を行うもので、上記第２嵌合部８に下端部を嵌着固定させて起立するとともに、上部に吊下部11を有する。上記表示は、商品名の外に物品内容物の成分、効能、その他種々の表示を行うことができる。
【００１２】
表示板４の形状も上記した作用を発揮できる範囲で種々採用でき、図１の実施例では、下部中央に切欠部12を設けてその両側に一対の脚部13を形成し、各脚部間に物品２を起立させる如く構成している。また、上部側縁部にヒンジ14を介して見開き頁15を開閉可能に設けており、上記した種々の表示をより多く表現できる如く構成している。この見開き頁15は側縁部に係合凹部16を設け、この係合凹部16を対向する本体部分側縁部に設けた突部17と係合させて閉じた状態を維持できる如く構成している。また、見開き頁15は上記したものに限らず、上縁部にヒンジを介して一縁部を連結して開閉可能に設けたものであっても良い。
【００１３】
また、下端部の第２嵌合部８への嵌着固定の形態も種々採用でき、単に第２嵌合部８内に下端部を挿入嵌合する方法であっても良いが、全体を吊り下げることを考慮して、図示例の如く係合手段をもって係合させる方法を採用すると良い。図示例では、各脚部13の下方に上記各第２嵌合部８の外側の頂壁10裏面に乗越え係合する係合突部18を突設している。
【００１４】
吊下部11は、全体の吊り下げが可能であれば種々の形態を採用することができ、図１及び図２では、表示板４及び見開き頁15の上部にそれぞれ透孔19を穿設し、各透孔19を吊下部11として構成しているがこれに限られず、フック状の突起を上方へ突設する等種々の形態を採用できる。
【００１５】
本発明の外装具１は、上記した基台３及び表示板４を用いて物品を装着させるもので、上記第１嵌合部７に下端部を嵌合させて起立させた物品２を、上記基台３及び表示板４下部とともに熱収縮フィルム20により被覆固定する如く構成している。表示板下部としたのは上部の吊下部を露出することを意味する。熱収縮フィルム20は、加熱した際に収縮して被包装体周囲を包装する所謂シュリンク包装に使用される公知のものが使用でき、公知の方法により装着させることができ、例えば、表示板４の上部を露出して、基台３，表示板４下部、物品２の露出部分表面を被覆装着する。
【００１６】
上記の如く構成した外装具１は、基台３の第１嵌合部７内に物品２の下部を嵌合して起立させた後、脚部13の下端部を第２嵌合部８に嵌着固定し、次いで、熱収縮フィルム20を所定の方法により収縮して装着する。しかる後吊下部11を所定の部位に吊り下げることにより陳列することができる。使用に当たっては、熱収縮フィルム20を取り除けば簡単に物品２を取り外すことができる。
【００１７】
図３は他の実施例を示すもので、基台３は矩形筒状の周壁９上端縁より頂壁10を延設した下端開口の中空板状をなし、頂壁10中央部を横長矩形状に下方へ凹ませて凹部形態の第１嵌合部７を設けており、また、その外側の頂壁10に長辺に沿ったスリット形態の第２嵌合部８を穿設している。また、表示板４は縦長矩形状をなし、下端部両側に係合突部18を突設しており、各係合突部18を第２嵌合部８両側の頂壁10裏面に乗越え係合させる如く構成している。そして、表示板４の前方下部に物品を固定する如く構成している。
【００１８】
【発明の効果】
以上説明した如く、本発明の外装具は、既述構成としたことにより、装着する物品の形態に拘わらず予め大きさのみを考慮しておけば様々な種類の物品を装着することができ、大きさも融通性があるため極めて汎用性に富み、また、簡単な構造で安価に製造することができるとともに、その組み付け操作も極めて容易である。また、吊り下げての陳列，展示の外に台上等に載置しての陳列展示を必要に応じて選択できる利点もある。
【００１９】
また、請求項２発明の外装具は、中央部に物品を装着させることができるため、吊り下げる際に安定して吊り下げることができる利点を兼ね備えている。
【００２０】
また、請求項３発明の外装具は、装着した物品に関する様々な表示をより多く表現出来るとともに、常時は邪魔にならずに小さく折り畳んでおくことができる利点を兼ね備える。
【図面の簡単な説明】
【図１】本発明の一実施例を示す斜視図である。
【図２】同実施例の基台及び表示板の分解斜視図である。
【図３】本発明の他の実施例に於ける基台及び表示板の分解斜視図である。
【符号の説明】
２…物品，３…基台，４…表示板，７…第１嵌合部，８…第２嵌合部，
11…吊下部，12…切欠部，13…脚部，14…ヒンジ，15…見開き頁
【図１】
0003964228.tif 000002
【図２】
0003964228.tif 000003
【図３】
0003964228.tif 000004